(57)【要約】【課題】  ディスプレイにユーザの希望に沿った画像を表示することができる車両用計器を提供する。また、車両用計器が有するディスプレイに表示される画像であって、ユーザの希望に沿った画像を提供できる提供方法およびその提供装置を提供する。【解決手段】  計器盤２と、計器盤２に備えられ、情報を表示するディスプレイ５と、ディスプレイ５を制御するための制御部とを有する車両用計器１において、制御部により、情報の表示のさせ方を変更できる構成とした。また、ユーザが用いる情報端末と通信ネットワークを介して結ばれた画像提供装置を用いて、ディスプレイを有する車両用計器に対してディスプレイ表示用画像を提供するようにした。  【選択図】        図１
2005088673.tif 000002
【特許請求の範囲】
【請求項１】
計器盤（２）と、前記計器盤に備えられ、情報を表示するディスプレイ（５）と、前記ディスプレイを制御するための制御部とを有する車両用計器（１）において、
前記制御部により、前記情報の表示のさせ方を変更できることを特徴とする車両用計器。
【請求項２】
前記制御部は、複数の表示用画像を記憶する記憶手段を有しており、
前記制御部により、前記記憶手段に記憶された前記複数の表示用画像の中から選択された前記画像が表示されることを特徴とする請求項１に記載の車両用計器。
【請求項３】
前記制御部は、外部からデータが入力される入力部と、表示用画像を記憶する記憶手段とを有しており、前記制御部により、前記記憶手段に記憶された一画像を前記入力部から入力された他の画像に書き換えることができる構成であることを特徴とする請求項１または２に記載の車両用計器。
【請求項４】
前記ディスプレイ（５）に計器部（１１ａ、１１ｂ、１２ａ、１２ｂ、１３ａ、１３ｂ）の画像が表示されることを特徴とする請求項１ないし３のいずれか１つに記載の車両用計器。
【請求項５】
ユーザが用いる情報端末（２２）と通信ネットワーク（２３）を介して結ばれた画像提供装置（２１）が行うディスプレイ（５）を有する車両用計器（１）に対するディスプレイ表示用画像の提供方法であって、
前記ディスプレイ表示用画像の一覧表を前記端末に送信するステップ（４２、４３）と、  
前記端末から選択結果を受信し、前記選択結果に応じた画像をディスプレイ表示用に加工するステップ（４４）と、
加工された前記画像を前記車両用計器の制御部に送信するステップ（４５）とを有することを特徴とするディスプレイ表示用画像の提供方法。
【請求項６】
ユーザが用いる情報端末（２２）と通信ネットワーク（２３）を介して結ばれた画像提供装置（２１）が行うディスプレイ（５）に計器部（１１ａ、１１ｂ、１２ａ、１２ｂ、１３ａ、１３ｂ）の画像を表示する車両用計器（１）に対する前記画像の提供方法であって、
前記端末に計器部の構成を示す画像の一覧表を送信するステップ（４２）と、
前記端末から計器部の構成の選択結果を受信し、前記計器部の構成の選択結果に応じて、選択可能な前記計器部の構成要素を示す画像の一覧表を前記端末に送信するステップ（４３）と、
前記計器部の構成要素の選択結果を受信し、前記計器部の構成の選択結果および前記構成要素の選択結果に応じた前記計器部の画像を前記ディスプレイ表示用に加工するステップ（４４）と、
加工された前記画像を車両用計器の制御部に送信するステップ（４５）とを有することを特徴とするディスプレイ表示用画像の提供方法。
【請求項７】
ユーザが用いる情報端末（２２）と通信ネットワーク（２３）を介して結ばれており、ディスプレイ（５）を有する車両用計器（１）に対して、ディスプレイ表示用画像の提供を行う画像提供装置（２１）であって、
前記ディスプレイ表示用画像の一覧表を前記端末に送信する第１の送信手段（４２、４３）と、  
前記端末から選択結果を受信し、前記選択結果に応じた画像をディスプレイ表示用に加工する加工手段（４４）と、
加工された前記画像を車両用計器の制御部に送信する第２の送信手段（４５）とを有することを特徴とする画像提供装置。
【請求項８】
ユーザが用いる情報端末（２２）と通信ネットワーク（２３）を介して結ばれており、ディスプレイ（５）を有する車両用計器（１）に対して、ディスプレイ表示用画像の提供を行う画像提供装置（２１）であって、
前記端末に計器部の構成を示す画像の一覧表を送信する第１の送信手段（４２）と、
前記端末から計器部の構成の選択結果を受信し、前記計器部の構成の選択結果に応じて、選択可能な前記計器部の構成要素を示す画像の一覧表を前記端末に送信する第２の送信手段（４３）と、
前記計器部の構成要素の選択結果を受信し、前記計器部の構成の選択結果および前記構成要素の選択結果に応じた前記計器部の画像を前記ディスプレイ表示用に加工する加工手段（４４）と、
加工された前記画像を車両用計器の制御部に送信する第３の送信手段（４５）とを有することを特徴とする画像提供装置。
【発明の詳細な説明】
【技術分野】
【０００１】
本発明は、ディスプレイを備えた車両用計器、そのディスプレイに表示される画像の提供方法、およびその提供システムに関する。
【背景技術】
【０００２】
従来、インターネット等の通信技術を利用して、ユーザが車両用計器の取り替えを注文する注文方法およびこの注文に基づいて車両用計器の取り替えを行う取り替え方法がある（例えば、特許文献１参照）。
【０００３】
図６に車両用計器１の正面図を示す。これらの方法によれば、図６中の左側に示すように、計器盤２、文字盤（ダイヤル）３、および指針４を有する車両用計器１に対して、図６中の右側に示すように、計器盤２や文字盤３をユーザの嗜好に合致したものに容易に取り替えることができる。
【０００４】
ところで、昨今、文字情報や画像等が表示されるディスプレイを有する車両用計器がある。図７（ａ）、（ｂ）、（ｃ）にこのような車両用計器の例を示す。ディスプレイ５は、例えば、図７（ａ）に示すように、計器盤２のうち、文字盤３と文字盤３との空きスペースに配置されていたり、図７（ｂ）に示すように、計器盤２に専用の領域が確保されて、文字盤３と文字盤３との間に配置されていたり、図７（ａ）に示すように、文字盤３の中に配置されている。このディスプレイ５には、平均速度、走行距離等の車両運行や交通に関わる情報、エンターテイメント的な情報が表示される。
【特許文献１】特開２００３−３４４３５号公報
【発明の開示】
【発明が解決しようとする課題】
【０００５】
しかし、従来のディスプレイを有する車両用計器１においては、ディスプレイ５に表示される画像はあらかじめ登録されている画像しか表示されず、表示されている画像は必ずしもユーザ好みの画像ではなかった。
【０００６】
本発明は、上記点に鑑み、ディスプレイにユーザの希望に沿った画像を表示することができる車両用計器を提供することを目的とする。
【０００７】
また、車両用計器が有するディスプレイに表示される画像であって、ユーザの希望に沿った画像を提供できる画像提供方法およびその提供装置を提供することを目的とする。
【課題を解決するための手段】
【０００８】
上記目的を達成するため、請求項１に記載の発明では、制御部により、情報の表示のさせ方を変更できることを特徴としている。
【０００９】
具体的には、例えば、請求項２に示すように、制御部は、複数の表示用画像を記憶する記憶手段を有しており、制御部により、記憶手段に記憶された複数の表示用画像の中から選択された画像が表示されるような構成とすることができる。
【００１０】
また、請求項３に示すように、制御部は、外部からデータが入力される入力部と、表示用画像を記憶する記憶手段とを有しており、制御部により、記憶手段に記憶された一画像データを入力部から入力された他の画像に書き換えることができる構成とすることができる。
【００１１】
これにより、あらかじめ制御部に記憶されている画像の中からユーザが希望に沿った画像を選択したり、外部からユーザの希望に沿った画像を制御部に記憶させたりすることで、ディスプレイにユーザの希望に沿った画像を表示することができる。
【００１２】
また、請求項４に示すように、ディスプレイ（５）（１１ａ、１１ｂ、１２ａ、１２ｂ、１３ａ、１３ｂ）にスピードメータ、タコメータ、フューエルゲージ等の計器部の画像を表示させることもできる。このような車両用計器では、ディスプレイに表示する背景画像だけでなく、さらに計器部の形状もユーザの好みのものに変更することができる。
【００１３】
請求項５に記載の発明では、ユーザが用いる情報端末（２２）と通信ネットワーク（２３）を介して結ばれた画像提供装置（２１）が行うディスプレイ（５）を有する車両用計器（１）に対するディスプレイ表示用画像の提供方法であって、ディスプレイ表示用画像の一覧表を端末に送信するステップ（４２、４３）と、端末から選択結果を受信し、選択結果に応じた画像をディスプレイ表示用に加工するステップ（４４）と、  加工された画像を車両用計器の制御部に送信するステップ（４５）とを有することを特徴としている。
【００１４】
このような方法により、ユーザの希望に沿った画像を提供することができる。この結果、ユーザは車両用計器のディスプレイに表示される画像を、ユーザの希望に沿った画像に変更することができる。
【００１５】
請求項６に記載の発明では、ユーザが用いる情報端末（２２）と通信ネットワーク（２３）を介して結ばれた画像提供装置（２１）が行うディスプレイ（５）に計器部（１１ａ、１１ｂ、１２ａ、１２ｂ、１３ａ、１３ｂ）の画像を表示する車両用計器（１）に対する画像の提供方法であって、端末に計器部の構成を示す画像の一覧表を送信するステップ（４２）と、端末から計器部の構成の選択結果を受信し、計器部の構成の選択結果に応じて、選択可能な計器部の構成要素を示す画像の一覧表を端末に送信するステップ（４３）と、計器部の構成要素の選択結果を受信し、計器部の構成の選択結果および構成要素の選択結果に応じた計器部の画像をディスプレイ表示用に加工するステップ（４４）と、加工された画像を車両用計器の制御部に送信するステップ（４５）とを有することを特徴としている。
【００１６】
このような方法により、請求項４に示すようなディスプレイに計器部の画像を表示する車両用計器に対して、ユーザの希望に沿った画像を提供することができる。この結果、ユーザは車両用計器のディスプレイに表示される画像を、ユーザの希望に沿った画像に変更することができる。
【００１７】
請求項７に記載の発明では、ユーザが用いる情報端末（２２）と通信ネットワーク（２３）を介して結ばれており、ディスプレイ（５）を有する車両用計器（１）に対して、ディスプレイ表示用画像の提供を行う画像提供装置（２１）であって、ディスプレイ表示用画像の一覧表を端末に送信する第１の送信手段（４２、４３）と、端末から選択結果を受信し、選択結果に応じた画像をディスプレイ表示用に加工する加工手段（４４）と、加工された画像を車両用計器の制御部に送信する第２の送信手段（４５）とを有することを特徴としている。
【００１８】
請求項８に記載の発明では、ユーザが用いる情報端末（２２）と通信ネットワーク（２３）を介して結ばれており、ディスプレイ（５）を有する車両用計器（１）に対して、ディスプレイ表示用画像の提供を行う画像提供装置（２１）であって、端末に計器部の構成を示す画像の一覧表を送信する第１の送信手段（４２）と、端末から計器部の構成の選択結果を受信し、計器部の構成の選択結果に応じて、選択可能な計器部の構成要素を示す画像の一覧表を端末に送信する第２の送信手段（４３）と、計器部の構成要素の選択結果を受信し、計器部の構成の選択結果および構成要素の選択結果に応じた計器部の画像をディスプレイ表示用に加工する加工手段（４４）と、加工された画像を車両用計器の制御部に送信する第３の送信手段（４５）とを有することを特徴としている。
【００１９】
これらのような画像提供装置を用いて、請求項５または６に記載のディスプレイ表示用画像の提供方法を提供することができる。
【００２０】
なお、上記各手段の括弧内の符号は、後述する実施形態に記載の具体的手段との対応関係を示すものである。
【発明を実施するための最良の形態】
【００２１】
（第１実施形態）
図１に本実施形態における車両用計器１の正面図を示す。なお、これらの図では、図６、７に示す車両用計器１と同様の構成部には、それらと同一の符号を付している。
【００２２】
この車両用計器１は、図１に示すように、計器盤２と、計器盤２に設置されたディスプレイ５と、ディスプレイ５と接続されている図示しない制御部とを有した構成となっており、ディスプレイ５にスピードメータ、タコメータ、燃料計、水温計等の計器部１１ａ、１１ｂ、１２ａ、１２ｂ、１３ａ、１３ｂが表示されるようになっている。
【００２３】
ディスプレイ５は、例えばＴＦＴ（薄膜トランジスタ）液晶モニタ、有機ＥＬ表示モニタ等である。
【００２４】
制御部は、ＣＰＵや記憶手段としてのＲＯＭ、ＲＡＭ等を有している。この制御部に表示用画像のデータが記憶されており、この制御部により、記憶されているデータに基づいてディスプレイ５に画像が表示される。
【００２５】
また、制御部は、外部からデータが入力される入力部を有しており、車両外部の機器（例えば、後述するサーバ２１）と、直接もしくは車両自体が有する通信手段とを介して、接続されることで、車両用計器の外部から画像データが入力されるようになっている。そして、制御部は、あらかじめ記憶されている画像データを外部から入力された画像データに書き換えることができる。
【００２６】
このような構成の車両用計器１は、車両用計器１の外部から画像データを受信し、制御部で、あらかじめ記憶されている画像データを受信した新たな画像データに書き換えることで、ディスプレイ５に新たな画像を表示できるようになっている。また、記憶手段に変更用画像をいくつか記憶できるようになっており、ユーザがこの変更用画像の中から任意に選択することで、選択した画像がディスプレイ５に表示されるようになっている。
【００２７】
これにより、本実施形態では、ディスプレイ５に表示される情報の表示のさせ方を変更することができる。すなわち、図１の左側に示すスピード、燃料、水温等を表示するアナログメータ１１ａ、１２ａ、１３ａを、図１の右側に示すデジタルメータ１１ｂ、１２ｂ、１３ｂに変更したり、その反対に、デジタルメータ１１ｂ、１２ｂ、１３ｂをアナログメータ１１ａ、１２ａ、１３ａに変更したりすることができる。
【００２８】
また、図１の左側に示すように、スピードメータ、タコメータ、燃料計、水温計等の計器部（メータ）の表示される数を４つ（図１の左側）から、３つ（図１の右側）に変更することもできる。このようにメータの構成を変更したり、また、メータの目盛り、指針、書体、配色、背景等の形態を変更したりすることができる。
【００２９】
この結果、本実施形態では、このようにディスプレイ５に表示される表示内容（画像）を変更することができるので、ディスプレイ５にユーザの希望に沿った画像を表示することができる。したがって、ユーザに対して、高い満足度を提供することができる。
【００３０】
次に上記したようなディスプレイ５を有する車両用計器に対してのディスプレイ表示用画像の提供方法について説明する。まず、図２に本実施形態におけるディスプレイ表示用画像の提供方法を実行するための画像提供システムの全体構成を示す。
【００３１】
図２に示すように、画像提供システムは、画像提供装置に相当するサーバ２１と、複数の情報端末２２とを備えている。複数の情報端末２２は、複数のユーザそれぞれが利用するユーザ端末であり、通信ネットワーク２３を介して、サーバ２１と接続されている。なお、以下では、情報端末２２をユーザ端末２２と呼ぶ。
【００３２】
サーバ２１は、サービスの提供者である車両用計器メーカや車両販売店等が用いる装置である。サーバ２１は、記憶手段としてのデータベースを備えており、このデータベースに種々のメータの意匠が記憶されている。具体的には、３眼、４眼等のメータ構成や、メータの目盛り、指針、書体、配色、背景等の各構成要素が記憶されている。データベースには、新しい意匠を記憶させることができるようになっている。
【００３３】
サーバ２１は、ユーザ端末２２との接続を行うようになっている。例えば、ユーザ端末２２から接続要求があると、ユーザＩＤやパスワード等から接続要求者の認識を行い、認識が完了すると、ユーザ端末２２と接続する。
【００３４】
また、サーバ２１は、ユーザ端末２２に対して、データベースに記憶されているディスプレイ表示用の画像を選択するための選択画面を送信したり、ユーザ端末２２からその選択結果を受信したりするようになっている。そして、ユーザより各種変更要求のあった画像を組み合わせ、この画像に対して、車両からの信号を受けて、メータとして機能するように、ソフトウェア上の加工を行うようになっている。
【００３５】
また、サーバ２１は、画像データの出力部を有しており、この出力部から、変更用の画像データを車両用計器の制御部２４に出力することで、車両用計器の制御部２４に新規の画像データを送信することができる。なお、この送信は、車両が有する通信手段を介して、車両用計器の制御部２４とサーバ２１とを接続したり、車両用計器の制御部２４とサーバ２１とを直接接続したりすることで、可能となる。
【００３６】
このようなサーバ２１としては、例えば、パーソナルコンピュータやワークステーションといったコンピュータが用いられる。サーバ２１には、例えば、ハードディスク等の記憶媒体が備えられており、この記憶媒体には後述の画像提供を実行するプログラムが格納されている。
【００３７】
ユーザ端末２２は、通信ネットワーク２３を介して、サーバ２１から表示用画像の選択画面を受信したり、選択結果をサーバ２１に送信したりすることができるものである。ユーザ端末２２としては、例えば家庭に設置されたパーソナルコンピュータ、車両用計器メーカや車両販売店に設置されたパーソナルコンピュータ、もしくは、車両乗車中に使用する車両搭載のナビゲーションシステム等を用いることができる。
【００３８】
また、通信ネットワーク２３としては、インターネットのようなオープンなネットワーク、あるいはＬＡＮ、パソコン通信等を利用することができる。
【００３９】
続いて、上記構成の画像提供システムを用いたディスプレイ表示用画像の提供方法を図３、４に示すフローチャートを用いて説明する。なお、図３に示すフローチャートは、ユーザが端末を使用して実行する処理およびサーバが実行する処理を示しており、図４に示すフローチャートは、図３中でユーザが行う各構成要素の選択処理を示している。
【００４０】
図３に示すように、ステップ３１では、ユーザがユーザ端末２２を使用して、サーバ２１に接続する。すなわち、ユーザ端末２２からサーバ２１に対して、ホームページのメインメニューが要求される。
【００４１】
これを受けて、ステップ４１で、サーバ２１からユーザ端末２２に対してメインメニューが送信される。これにより、ユーザ端末２２にメインメニュー画面が表示される。
【００４２】
ユーザは、ユーザ端末２２に表示されたメインメニューからメータ構成の選択画面を選択する。これにより、ステップ３２で、ユーザ端末２２からサーバ２１に対してメータ構成の選択画面が要求される。
【００４３】
これを受けて、ステップ４２で、メータ構成の選択画面がサーバ２１からユーザ端末２２に向けて送信される。すなわち、メータの構成を示す画像の一覧表が送信される。これにより、ユーザ端末２２にメータ構成の選択画面が表示される。このとき、この選択画面には、メータ構成、すなわち、スピードメータ等のメータの数、各メータの表示方法（デジタル式、アナログ式）、各メータの形態（形状等）の選択肢が表示されている。例えば、これらが組み合わされた種々のメータ構成パターンが用意されており、この中からユーザが任意で選択できるようになっている。
【００４４】
ユーザは、この種々のメータ構成パターンの中から、自分が希望するメータ構成パターンを選び出し、ユーザ端末２２に対して、選択結果を入力する。これにより、ステップ３３で、ユーザ端末２２からサーバ２１に向けて選択結果が送信される。そして、サーバ２１がこの選択結果を受信する。
【００４５】
続いて、ユーザは、メータの目盛り、指針、書体、配色、背景等の各構成要素の選択を行うため、ユーザ端末２２でその画面を選択する。これにより、ステップ３４で、ユーザ端末２２からサーバ２１に向けて各構成要素の選択画面が要求される。
【００４６】
これを受けて、ステップ４３で、サーバ２１からユーザ端末２２に向けて、選択可能な各構成要素の選択画面が送信される。すなわち、選択可能な各構成要素を示す画像の一覧表が送信される。
【００４７】
このとき、送信される各構成要素の画像は、サーバ２１が、メータ構成パターンの選択結果を受けて、その選択されたメータ構成パターンに応じて、データベースの中から抽出したものである。この抽出された画像は、各構成要素を組み合わせた後において、メータの視認性が良好なもの（低くならないもの）である。
【００４８】
ステップ３５では、ユーザ端末２２に各構成要素の選択画面が表示されるので、ユーザ端末２２に表示された各構成要素をそれぞれ選択する処理を行う。
【００４９】
具体的には、図４に示すように、ステップ５１で、ユーザ端末２２に各構成要素の選択画面が表示される。ユーザはユーザ端末２２に表示された一覧表の中から、自分が気に入る画像を探す。このとき、ステップ５２で、ユーザ端末２２の画面に表示された一覧表の中から選択するかどうかが判断される。すなわち、一覧表の中にユーザが気に入った画像がある場合では、ステップ５３に進み、無い場合では、ステップ５４に進む。
【００５０】
例えば、各構成要素のうち、メータの目盛り、指針、書体、配色は、一覧表の中から選択するようになっており、背景については、一覧表の中から選択するだけでなく、ユーザが用意した画像、例えば、デジタルカメラで撮影した画像等を用いることができきるようになっている。
【００５１】
したがって、背景の選択の際に、気に入った画像がある場合では、ユーザが一覧表の中から各構成要素を選択する。すなわち、ステップ５３で、ユーザ端末２２に選択結果が入力される。一方、気に入った画像が無い場合では、ステップ５４で、ユーザが用意した画像がユーザ端末２２に取り込まれる。
【００５２】
選択処理が終了すると、ステップ３６で、ユーザ端末２２からサーバ２１に向けて、選択結果が送信される。これにより、サーバ２１は各構成要素の選択結果を受信する。
【００５３】
なお、図示しないが、ユーザが用意した画像が背景として送信された場合では、選択結果を受信した後、ユーザが任意に用意した画像に対して、サーバ２１が同系色でないこと等の視認性の判定を行う。例えば、同系色であると判定された場合、その結果が、サーバ２１から２２に送信される。それを受けて、ユーザは、画像の色を変更するか、他の画像に変更する。
【００５４】
ステップ４４では、サーバ２１で、メータ構成の選択結果および各構成要素の選択結果に応じて画像が加工され、さらに、その加工結果がサーバ２１からユーザ端末２２に向けて送信される。
【００５５】
ここで、画像の加工には大きく２つの意味がある。第１は、選択結果を組み合わせて画像を構成し、その構成された画像をディスプレイ５表示用の大きさ等にすることであり、第２は、ソフトウェア上で、構成された画像がメータとして機能するように、その画像に車両からの信号を組み合わせることである。
【００５６】
ステップ３７では、ユーザ端末２２に加工結果が表示されるので、加工された画像をユーザが確認する。このとき、ユーザがＯＫと判断すれば、ユーザは加工された画像を変更用の画像に決定する。すなわち、ステップ３８で、ユーザ端末２２からサーバ２１に、変更用画像の決定の信号が送信される。
【００５７】
ステップ４６では、加工された画像をサーバ２１が車両用計器の制御部に送信する。
【００５８】
以上説明した方法により、上記した車両用計器に対して、ユーザの希望に沿った画像を提供することができる。この結果、ユーザは上記した車両用計器１のディスプレイ５に表示される画像を、ユーザの希望に沿った画像に変更することができる。
【００５９】
次に本実施形態の主な特徴を説明する。
【００６０】
図１に示す車両用計器においては、ディスプレイ５に表示される内容（メータ等）を任意に変更できるようになっている。仮に、ディスプレイ５に表示される内容を、ユーザが任意に変更できるようにすると、総走行距離など法規上ユーザが自由に変更してはならない部分まで、ユーザが勝手に変更する恐れがある。つまり、勝手に表示内容を変更できるという認識をユーザが有していると、総走行距離等の改変にまでつながってしまう恐れがある。
【００６１】
また、車両用の計器は、スピードメータをはじめ、交通安全上重要な情報を含んでおり、ユーザが自ら表示内容を変更できるようにすると、例えば、スピードメータの視認性が低下してしまうという問題が生じる。
【００６２】
これに対して、本実施形態では、ユーザと車両用計器１との間に、メーカおよび車両販売店が介入している。そして、このメーカ等を介して、ユーザが表示画像を変更するようにしている。このとき、上述したように、ステップ４４で、サーバ２１が画像のソフトウェア上の加工を行っており、この加工はメーカ等でなければできないようにしておくことができる。
【００６３】
これにより、ユーザに対して、メーカ等を介さないと表示内容の変更ができないという認識を持たせることができる。この結果、法規上ユーザが自由に変更してはならない部分について、ユーザが変更するのを抑制することができる。
【００６４】
また、本実施形態では、ステップ４３で、サーバ２１が適切な画像候補を抽出し、その中からユーザが画像を選択するようになっている。すなわち、ユーザが選択する画像を視認性が低下しない画像に、サーバ２１が制限している。また、ユーザが任意に用意した画像に対しては、サーバ２１が同系色でないこと等の視認性の判定を行うようになっている。これにより、交通安全上の重要な情報の視認性が低下するのを抑制することができる。
【００６５】
（第２実施形態）
図５に第２実施形態における車両用計器の正面図を示す。この車両用計器は、図７（ｂ）に示す車両用計器と同様に、文字盤３と文字盤３との間にディスプレイ５が配置された構成である。この車両用計器１では、ディスプレイ５に文字情報や背景画像等が表示されるようになっており、この背景画像を変更できる構成となっている。
【００６６】
また、この車両用計器に対しても、第１実施形態と同様に、上記した構成の画像提供システムにより、画像を提供することができる。
【００６７】
この場合、第１実施形態における提供方法に対して、メータ構成や各構成要素の選択に代えて、単に背景画像等の画像の選択を行うようにする。この場合においても、このような方法により、ユーザの希望に沿った画像を提供することができる。
【００６８】
（他の実施形態）
上記した各実施形態では、サーバ２１がユーザ端末２２と接続したり、サーバ２１がデータベースを有している場合を説明したが、この場合に限らず、サーバ２１の他に、通信制御装置、記憶装置を別途用い、この通信制御装置により、ユーザ端末２２と接続するようにし、この記憶装置にデータベースを構築することもできる。
【図面の簡単な説明】
【００６９】
【図１】本発明の第１実施形態における車両用計器の正面図である。
【図２】本発明の第１実施形態における画像提供システムの全体構成を示す図である。
【図３】ユーザがユーザ端末２２を使用して実行する処理と、サーバ２１が実行する処理を示すフローチャートである。
【図４】図３中でユーザが行う各構成要素の選択処理を示すフローチャートである
【図５】本発明の第２実施形態における車両用計器の正面図である。
【図６】従来の第１の例における車両用計器の正面図である。
【図７】従来の第２の例における車両用計器の正面図である。
【符号の説明】
【００７０】
１…車両用計器、２…計器盤、３…文字盤、４…指針、５…ディスプレイ、
２１…サーバ、２２…ユーザ端末、２３…通信ネットワーク。
【図１】
2005088673.tif 000003
【図２】
2005088673.tif 000004
【図３】
2005088673.tif 000005
【図４】
2005088673.tif 000006
【図５】
2005088673.tif 000007
【図６】
2005088673.tif 000008
【図７】
2005088673.tif 000009